【事件の表示】
　平成　６年特許願第３０００２４号「音源装置」拒絶査定不服審判事件〔平成　８年　６月２１日出願公開、特開平　８−１６０９５８、請求項の数（３）〕について、次のとおり審決する。
【結　論】
　原査定を取り消す。
　本願の発明は、特許すべきものとする。
【理　由】
　
第一　経緯
　
１．手続 
　本願は、平成６年１２月２日の出願である。
　本件は、本願についてされた拒絶査定（平成１６年１１月１５日付け）を不服とする平成１６年１２月２２日の請求であり、請求後、手続補正書（平成１７年１月２１日付け、明細書について請求の日から３０日以内にする補正）が提出された。  
　
２．査定  
　原査定の理由は、概略、下記のとおりである。  
　　　　　記（査定の理由）  
　本願の請求項１から請求項３までに係る発明は、下記刊行物に記載された発明に基づいて当業者が容易に発明をすることができたものであるから、特許法第２９条第２項の規定により、特許を受けることができない。  
　　　　　記  
　刊行物１：特開平２−１３５４９７号公報  
　刊行物２：特開平２−１３２４９６号公報
　刊行物３：実願平５−１０８１６号（実開平６−８９９７号）
　　　　　　のＣＤ−ＲＯＭ
 　  
第二　補正の適否
　
　《結論》
　平成１７年１月２１日付けの手続補正を認める。
　《理由》
　本件補正は、特許法第１７条の２各項の規定に適合する。詳細は、以下のとおりである。
　
（１）補正の内容
　本件補正は、次のような請求項の補正を含むものである。
　（ａ）補正事項１
　請求項１（補正前）について、
　「音のエンベローブを表すエンベローブ情報」（補正前）とあるのを、「音のエンベロー
プ
プ
　「前記光ディスク」（補正前）とあるのを、「
光
　「有する」（補正前）とあるのを、「
を
　（ｂ）補正事項２
　請求項３（補正前）について、
　「前記光ディスク」（補正前）とあるのを、「
光
　
（２）補正の適合性
　上記各補正事項は、願書に最初に添付した明細書及び図面に記載した事項の範囲内においてする補正である。
　上記各補正事項は、特許請求の範囲についてする補正であるところ、誤記の訂正を目的とするものである。
　
第三　本願発明
　
　本願の請求項１から請求項３までに係る発明（本願各発明ともいう）は、本願明細書及び図面（平成１３年５月２９日付け、平成１６年５月７日付け及び平成１７年１月２１日付けの各手続補正書により補正された明細書及び図面）の記載からみて、それぞれ、その特許請求の範囲の請求項１から請求項３までに記載した下記の事項により特定されるとおりのものと認める。
 　　　　　記（特許請求の範囲）  
【請求項１】
　波形データが格納されるサウンドバッファと、
　音のエンベロープを表すエンベロープ情報と当該エンベロープ情報が適用される波形データの識別情報とを含むトーン属性情報が複数格納されるメインメモリと、
　波形データ及び複数のトーン属性情報を光ディスクから読み出し、前記メインメモリを介しての前記サウンドバッファへの、当該波形データの転送と、前記メインメモリへの、当該複数のトーン属性情報の格納とを実行して、トーン属性情報が選択されると、当該選択されたトーン属性情報を前記メインメモリから読み出す第１制御手段と、
　前記第１制御手段の指示に応じて、前記第１制御手段により読み出されたトーン属性情報に含まれる識別情報に対応する波形データを前記サウンドバッファから読み出し、当該読み出されたトーン属性情報のエンベロープ情報に基づき当該波形データを再生する第２制御手段と、
　を有することを特徴とする音源装置。
【請求項２】
　請求項１記載の音源装置であって、
　前記メインメモリには、前記光ディスクに格納された波形データを前記サウンドバッファに転送するための、当該波形データよりも容量の小さなチャネルが設けられ、
　前記第１制御手段は、前記光ディスクに記憶されている波形データを、前記チャネルの容量以下の容量ずつ読み出して、順次、前記チャネルを介して前記サウンドバッファに転送することを特徴とする音源装置。
【請求項３】
　サウンドバッファとメインメモリと第１及び第２制御手段とを有する音源装置の制御方法であって、
　前記第１制御手段が、波形データと、音のエンベロープを表すエンベロープ情報及び前記波形データの識別情報を含む複数のトーン属性情報とを、光ディスクから読み出し、前記トーン属性情報を前記メインメモリに格納し、前記波形データを、前記メインメモリを介して前記サウンドバッファに格納する処理と、
　前記第１制御手段が、選択されたトーン属性情報を前記メインメモリから読み出し、前記第２制御手段に、前記第１制御手段が読み出したトーン属性情報に含まれる識別情報に対応する波形データを前記サウンドバッファから読み出させ、当該読み出したトーン属性情報のエンベロープ情報に基づき当該波形データを再生させる処理と、
　を含むことを特徴とする、音源装置の制御方法。
　
第四　査定の検討
　
１．本願各発明について
　（ａ）主要構成
　査定で引用された各刊行物のいずれにも、本願各発明が備える下記の主要構成は記載されていない。また、各刊行物を組み合わせても、同主要構成を導くことはできない。
　　　　　記（本願各発明の主要構成）  
　波形データ及びトーン属性情報（エンベロープ情報と当該エンベロープ情報が適用される波形データの識別情報とを含む）を光ディスクから読み出し、波形データをメインメモリを介してサウンドバッファに転送し、トーン属性情報をメインメモリに格納し、トーン属性情報が選択されると、当該選択されたトーン属性情報に含まれる識別情報に対応する波形データをサウンドバッファから読み出して、当該選択されたトーン属性情報に含まれるエンベロープ情報に基づき再生すること。
　（ｂ）効果等
　そして、本願各発明は、上記主要構成を備えることにより、本願明細書に記載した「主記憶装置の使用可能な領域を減少させることなく、使用する波形データを変更することができる」（段落0012）等の顕著な効果を奏するとともに、加えて、光ディスクから読み出したトーン属性情報及び波形データを、それらの対応関係を維持しながら、メインメモリ及びサウンドバッファにおいて独立して管理することができるため、光ディスクからの読出しデータによって音源データが書き換えられる音源装置において、サウンドバッファ内の１つの波形データに対して複数のエンベロープ情報を対応付けてメインメモリ内に保持することができるため、１つの波形データを複数のエンベロープ情報に基づき再生可能となり、結果として、少ない波形データでより多くの音色を表現することが可能となる等の顕著な効果を奏することも明らかである（審判理由補充書４頁１７行〜２４行）。
　（ｃ）結論
　以上によれば、本願各発明は、査定で引用された各刊行物に記載された発明に基づいて当業者が容易に発明をすることができたものであるとすることはできない。 
 　 
２．引用刊行物の記載等について
　以下、各刊行物の記載について見ておく。
　（ａ）刊行物１（特開平２−１３５４９７号公報) 
　（ａ１）刊行物１には、「電子楽器」に関し、以下の事項が記載されている。 
　　「キーボード４１を演奏することにより発音開始信号、音高データ及び音色選択データがキーボード４１から送出される。まずキーコードメモリ部４２においてキーボード４１から送出された音高データを波形発生部４３内の波形メモリの読みとばし幅に相当するキーコードに変換し波形発生部４３に送出する。そして波形発生部４３においてキーコードの累積加算が行われると共に累積加算結果により波形発生部４３内の波形メモリの読みだしが行われ、読みだされた波形は乗算部４６に送出される。ここで波形発生部４３内の波形メモリの内どの波形メモリが読みだしに使用されるかは、キースケーリング部４５から送出される波形メモリ選択データにより決定される。次にエンベロープ発生部４４においてキーボード４１から送出された発音開始信号の発生タイミングでエンベロープメモリの読みだしが開始される。ここでエンベロープメモリは１ポイント毎に読みだされ最終ポイントに達した時点で読みだしを中止するものとする。ここでエンベロープ発生部４４内のエンベロープメモリの内どのエンベロープメモリが読みだしに使用されるかは、キースケーリング部４５から送出されるエンベロープメモリ選択データにより決定される。エンベロープ発生部４４から送出されたエンベロープは乗算部４６において、波形との乗算が行われディジタルアナログ変換器４７及びサウンドシステム４８を介し所望の楽音信号が得られる。」（２頁左下欄15行〜３頁左上欄２行）
　（ａ２）上記記載によれば、刊行物１では、音高データ及び音色選択データに基づき波形メモリ選択データやエンベロープメモリ選択データが決定され、それぞれ、波形メモリ内の波形メモリ、エンベロープメモリ内のエンベロープメモリの選択が行なわれる。
　波形メモリ選択データ（本願の識別情報に対応）とエンベロープメモリ（本願のエンベロープ情報に対応）とを含むような情報（本願のトーン属性情報）については記載がなく示唆もない。
　
　（ｂ）刊行物２（特開平２−１３２４９６号公報) 
　（ｂ１）刊行物２には、「電子楽器」に関し、以下の事項が記載されている。
　　「押鍵等の操作によって楽音の発生が指示されると、指示入力部１は押された鍵盤の位置に基づいた音高、及び強さに関する情報を指示信号として制御部４へ出力する。
　指示信号を入力した制御部４は、前記音高に関する指示信号に基づいたアドレス（波形アドレス）で波形メモリ部５から波形データを読み出し始め、以後音高に基づいた加算値を加算した波形アドレスで波形データを順次読み出すと共に、前記強さに関する指示信号に基づいたアドレス（エンベロープアドレス）の示すエンベロープデータをエンベロープメモリ部３から読み出し始め、以後１つずつインクリメントしたエンベロープアドレスでエンベロープデータを順次読み出す。
　次に制御部４は前記読み出した波形データと前記読み出したエンベロープデータとを順次乗算し、その結果を楽音出力波形として出力する。」（２頁左上欄13行〜右上欄９行）
　（ｂ２）上記記載によれば、刊行物２には、鍵盤位置の音高に基づいたアドレス（波形アドレス）で波形メモリ部５から波形データを読み出し始め、以後音高に基づいた加算値を加算した波形アドレスで波形データを順次読み出すと共に、鍵盤の強さに基づいたアドレス（エンベロープアドレス）の示すエンベロープデータをエンベロープメモリ部３から読み出し始め、以後１つずつインクリメントしたエンベロープアドレスでエンベロープデータを順次読み出し、前記読み出した波形データと前記読み出したエンベロープデータとを順次乗算し、その結果を楽音出力波形として出力することが記載されているに止まる。上記主要構成については記載がなく示唆もない。
　
　（ｃ）刊行物３
　（ｃ１）刊行物３には、「電子楽器」に関し、以下の事項が記載されている。
　　「リズム音源回路６は前記各リズム楽器の楽器音信号を各々４種類ずつ記憶した波形メモリを有してなるもので、この波形メモリから前記楽器別駆動データＲＤの”１”のビットが示す楽器に対応する楽器音信号を時分割的に読み出すようになっている。そしてこの場合、メモリ選択信号発生器７は、前記制御データＣＤまたはこのメモリ選択信号発生器７自体が発生するランダム信号に基づいてメモリ選択信号ＭＳを出力して前記リズム音源回路６へ供給し、これによってリズム音源回路６が前記波形メモリから読み出すべき楽器音信号を楽器毎に４種類あるものの中から択一的に選択するようになっている。このリズム音源回路６の波形メモリから時分割的に読み出された楽器音信号は合成された後、増幅器８へ供給され、ここで増幅されてスピーカ９へ供給されリズム音として発音される。」（段落0013）
　（ｃ２）上記記載によれば、刊行物３には、メモリ選択信号ＭＳを出力してリズム音源回路６へ供給し、これによってリズム音源回路６が波形メモリから読み出すべき楽器音信号を楽器毎に４種類あるものの中から択一的に選択することが記載されているに止まる。上記主要構成については記載がなく示唆もない。
　
第五　むすび
　
　以上のとおりであるから、本願の請求項１から請求項３までに係る発明は上記各刊行物に記載された発明に基づいて当業者が容易に発明をすることができたものである、という原査定の理由によっては、本願を拒絶することはできない。  
　また、他に、本願を拒絶すべき理由を発見しない。  
　よって、結論のとおり審決する。